(57)【特許請求の範囲】
【請求項１】
吸引風を発する電動送風機と、開口部を有して前記電動送風機の前方に配置された集塵室と、前記開口部を覆い回動軸を中心に開閉自在に設けられた集塵部蓋と、前記集塵室の開口部を覆った状態に前記集塵部蓋を係止する尾錠と、前記集塵部蓋を前記集塵室の開口部の開口方向に付勢する付勢手段とを備え、集塵部蓋の回動軸の中心を、電気掃除機の本体の重心位置の中心から床面に対して鉛直方向に引いた線と走行車輪の車軸の中心から床面に対して鉛直方向に引いた線との範囲内に配置したことを特徴とする電気掃除機。
【請求項２】
電気掃除機の本体後部に本体を走行状態より約９０度起こした状態で走行車輪と共に本体を立支させるためのレスト部を設け、集塵部蓋を全開したときの開き角度は、前記レスト部と走行車輪を床面に当接させて前記本体を走行状態より約９０度起こした状態で、前記集塵部蓋が床面に接触しない範囲とした請求項１記載の電気掃除機。
【請求項３】
掃除機本体内に、電動送風機に電気を供給する電源コードと、前記電源コードを巻き取る電源コード巻き取り装置と、電源コードの一部または全部を引き出した状態で係止させるブレーキ機構とを備え、電源コードを巻き取るための前記ブレーキ機構の係止解除を、集塵部蓋の開口動作と連動させた請求項１記載の電気掃除機。
【発明の詳細な説明】
【技術分野】
【０００１】
本発明は、集塵袋を覆う集塵部蓋を自動で開くことのできる機構を備えた電気掃除機に関するものである。
【背景技術】
【０００２】
従来のこの種の電気掃除機として、集塵袋を覆い集塵部の開口を開閉する集塵部蓋を集塵室の直後に集塵部蓋の回動軸を設け、前記回動軸より後方に電動送風機や電源コードを配置している。前記集塵部蓋は回動軸部で付勢手段により開放方向に付勢し、また集塵部蓋の一端に集塵部蓋を閉止状態で保持する尾錠を取り付けたものである（例えば、特許文献１参照）。
【特許文献１】特開昭５８−２９４２９号公報
【発明の開示】
【発明が解決しようとする課題】
【０００３】
しかしながら、上記従来の構成では、集塵部蓋の回動軸の軸中心が集塵部の直後に配置されており、掃除機本体の全体のバランスからすると本体重心位置よりも前に位置されたものとなる。また、集塵部蓋の回動軸中心に掃除機本体の重心位置を挟み、対向する位置関係で走行用のローラーが配置されている。この構成では、集塵部蓋を勢い良く開放方向に開くと集塵部蓋の慣性力により本体の重心がローラーの軸中心を回転中心として移動し、本体が転倒することが考えられた。一方、本体の転倒を恐れ、集塵部蓋の付勢力を抑えるがために集塵部蓋の開きが不十分な状態（ある程度持ち上げるためのもの）となってしまっていた。
【０００４】
本発明は、上記課題を解決するもので、集塵部蓋を自動で開放状態まで開くとともに、集塵部蓋開放時の本体の転倒を抑えることを目的とするものである。
【課題を解決するための手段】
【０００５】
上記従来の課題を解決するために、本発明の電気掃除機は、吸引風を発する電動送風機と、開口部を有して前記電動送風機の前方に配置された集塵室と、前記開口部を覆い回動軸を中心に開閉自在に設けられた集塵部蓋と、前記集塵室の開口部を覆った状態に前記集塵部蓋を係止する尾錠と、前記集塵部蓋を前記集塵室の開口部の開口方向に付勢する付勢手段とを備え、集塵部蓋の回動軸の中心を、電気掃除機の本体の重心位置の中心から床面に対して鉛直方向に引いた線と走行車輪の車軸の中心から床面に対して鉛直方向に引いた線との範囲内に配置することで、集塵部蓋開放時の慣性力による掃除機本体の移動を抑え、本体を転倒させることもなく、集塵部蓋を開くことができる。
【発明の効果】
【０００６】
本発明の電気掃除機は、集塵部蓋開放時の慣性力による掃除機本体の移動を抑え、本体を転倒させることなく集塵部蓋を開くことのできる機構を備えた電気掃除機に関するものである。
【発明を実施するための最良の形態】
【０００７】
第１の発明は、吸引風を発する電動送風機と、開口部を有して前記電動送風機の前方に配置された集塵室と、前記開口部を覆い回動軸を中心に開閉自在に設けられた集塵部蓋と、前記集塵室の開口部を覆った状態に前記集塵部蓋を係止する尾錠と、前記集塵部蓋を前記集塵室の開口部の開口方向に付勢する付勢手段とを備え、集塵部蓋の回動軸の中心を、
電気掃除機の本体の重心位置の中心から床面に対して鉛直方向に引いた線と走行車輪の車軸の中心から床面に対して鉛直方向に引いた線との範囲内に配置することで、集塵部蓋開放時の慣性力による掃除機本体の移動を抑え、本体を転倒させることもなく集塵室上方を開口状態にすることができるものである。
【０００８】
第２の発明は、特に第１の発明に加えて、電気掃除機の本体後部に本体を走行状態より約９０度起こした状態で走行車輪と共に本体を立支させるためのレスト部を設け、集塵部蓋を全開したときの開き角度は、前記レスト部と走行車輪を床面に当接させて前記本体を走行状態より約９０度起こした状態で、前記集塵部蓋が床面に接触しない範囲としたもので、本体立支状態で不意に集塵部蓋が開いた時の床への傷つきを抑えることができるものである。
【０００９】
第３の発明は、特に第１の発明に加えて、掃除機本体内に、電動送風機に電気を供給する電源コードと、前記電源コードを巻き取る電源コード巻き取り装置と、電源コードの一部または全部を引き出した状態で係止させるブレーキ機構とを備え、電源コードを巻き取るための前記ブレーキ機構の係止解除を、集塵部蓋の開口動作と連動させたもので、集塵部蓋の開放動作を行うことで、電源コードを自動的に巻き取ることができるものである。
【００１０】
以下、本発明の実施の形態について、図面を参照しながら説明する。なお、この実施の形態により本発明が限定されるものではない。
【００１１】
（実施の形態１）
本発明の第１の実施の形態における電気掃除機について、図１〜図６を用いて説明する。図１は本実施の形態における電気掃除機の全体斜視図、図２は同電気掃除機の掃除機本体の斜視図（集塵部蓋全開状態）を示す。
【００１２】
図１において、１は掃除機本体で電動送風機（図示せず）、電源コード２を内蔵し、掃除機本体１の前部には、ホース３の一端に設けた接続パイプ４が着脱自在に接続される吸入口５が設けられている。ホース３の他端には、掃除の際に握る把手部６を備えた手元握りパイプ７が設けられている。８は伸縮自在或いは継ぎ自在の吸引管で、下流側端部が前記手元握りパイプに着脱自在に接続され、他端は、床用吸込み具９に着脱自在で接続される。
【００１３】
図２において、掃除機本体１は、集塵室１０を有し、集塵室１０内には、塵埃を捕集する集塵袋（図示せず）が装着可能なバスケット体（図示せず）が着脱自在に設けられている。また、集塵室１０の開口部には集塵室１０を開閉自在に覆う集塵部蓋１１を設けている。特に集塵部蓋１１の回動軸１１−ａの中心は本体１の重心位置と走行車輪１２の車軸より本体接地面（床面）に対し各々の軸中心より鉛直方向に引いた線の範囲内に配置している。また、集塵部蓋１１の回動軸１１−ａにはねじりコイルバネ１３を配置し、開放方向に付勢する付勢手段とし、全開状態では集塵室１０の開口部が全開になる位置で集塵部蓋１１の後端を本体１に当接し（図示せず）止める構成としている。一方、集塵部蓋１１の一端には弾発的に係合して集塵部蓋１１を閉止状態で本体に設けた爪部１４に係止する尾錠１５を設け、この尾錠１５はバネ（図示せず）により係合方向に付勢されつつ回動自在に取り付けられている。
【００１４】
また、集塵部蓋１１の後部には集塵部蓋１１の外側に隣接して本体持ち運び用のハンドル１６を回動自在に設けている。このハンドル形状は、略Ｕ字形の両端部に回動軸１６−ａを設けることで、集塵部蓋１１の開口方向に対向する方向に回動自在であり、かつ集塵部蓋１１と本体ハンドル１６の各々の回動軸が互いに交差し合う位置関係となる構成である。さらに、このハンドル１６は中央部から回動軸側に近づくに従って幅が広くなる形状（両端部が広がったＵ字形状）となっている（図４に示すａ＞ｂの関係）。また、ハンドル１６は倒立状態まで回動すると、本体１に設けた凸部（図示せず）を乗り越え倒立状態で保持される構成としている。
【００１５】
また、図４において、５０は、電気掃除機本体の後部に設けられたレスト部であり、図３に示すように、本体を走行状態より約９０度起こした状態で、走行車輪１２と共に、本体を立支させるためのものである。
【００１６】
上記構成による作用は、以下の通りである。
【００１７】
尾錠１５を解除すると集塵部蓋１１の軸部１１ａに配したねじりコイルバネ１３の付勢力により、集塵部蓋１１は開放方向へと回動し、集塵室が全開状態でストッパー１７に当接し止まる。この際（ストッパーで止まる際）集塵部蓋１１の先端部（尾錠１５）では大きな慣性力が働くが、本体の重心位置が集塵部蓋１１の軸中心よりも前側（本体の回動中心となる走行車輪１２の車軸に対し集塵部蓋１１の回動軸１１ａを挟み反対側）にあるため、間違っても本体が浮き上がるというような心配を解消することができるものである。
【００１８】
また、図５はハンドル倒立状態の側面図を示し、図６はハンドル倒立状態から集塵部蓋を開放したときのハンドルの動きを示したものである。図４〜６に示すように集塵部蓋１１とハンドル１６の形状および軸位置の関係より、ハンドル１６が倒立状態で集塵部蓋１１を閉止状態から開放すると、集塵部蓋１１の側壁（ハンドル凹部内の側壁）がハンドル１６の内壁に部分的に接触し、集塵部蓋１１の回動に合わせハンドル１６を収納方向へと押し下げる方向に力が働き、集塵部蓋１１が全開状態の位置ではハンドル１６を収納することができるものである。この時、ハンドル１６を倒立状態で保持する係止手段（凸部）の保持力を集塵部蓋１１の付勢力よりも弱く設定することでハンドルが倒立状態で保持されていても、集塵部蓋１１の回動動作で収納することができるものである。
【００１９】
（実施の形態２）
図７は、本発明の第２の実施の形態における電気掃除機の断面図である。なお、上記実施の形態１と同一部分については同一符号を付してその説明を省略する。
【００２０】
本実施の形態は、図７に示すように、本体１内に、電動送風機（図示せず）に電気を供給する電源コード２と、ゼンマイバネ（図示せず）の付勢力により電源コード２を自動的に巻き取る電源コード巻き取り装置１７と、コード巻き取り装置１７の回転を制動し、電源コードの引き出し長さを調整するブレーキ機構１８を設け、このブレーキ機構１８はほぼ中央部に回動軸を持ち、一端は摩擦抵抗の高いゴム帯が付いたブレーキ部１８ａ、他端はブレーキ部１８ａをコード巻き取り装置１７から離し、巻き取り装置の制動を解除する操作部１８ｂであり、回動軸を支点にシーソー動作を行うものである。また、前記ブレーキ機構１８の操作部１８ｂを集塵部蓋１１が閉止状態から全開状態に回動する際に集塵部蓋１１の端部に当接し制動を解除する方向に回動する構成である。
【００２１】
上記構成によると、集塵部蓋１１の開放動作により、集塵部蓋１１の後端がブレーキ機構の操作部１８ｂを押し下げ電源コードを自動的に巻き取ることができるものである。
【産業上の利用可能性】
【００２２】
以上のように、本発明にかかる電気掃除機は、集塵部蓋開放時の慣性力による掃除機本体の移動を抑え、本体を転倒させることもなく、集塵部蓋を開くことができるものである。
【図面の簡単な説明】
【００２３】
【図１】本発明の実施の形態１における電気掃除機の全体斜視図
【図２】同電気掃除機の掃除機本体の斜視図
【図３】同電気掃除機の集塵部蓋の開放動作を示す側面図
【図４】同電気掃除機本体の平面図
【図５】（ａ）同電気掃除機のハンドル倒立状態を示す平面図（ｂ）同電気掃除機のハンドル倒立状態を示す側面図
【図６】（ａ）同電気掃除機の集塵部蓋の開放動作を示す平面図（ｂ）同電気掃除機の集塵部蓋の開放動作を示す側面図
【図７】本発明の実施の形態２における電気掃除機の断面図
【符号の説明】
【００２４】
１    本体
２    電源コード
１０  集塵室
１１  集塵部蓋
１２  走行車輪
１３  ねじりコイルバネ（付勢手段）
１５  尾錠
１６  ハンドル
１７  コード巻き取り装置
１８  ブレーキ機構
【図１】
0004779537.tif 000002
【図２】
0004779537.tif 000003
【図３】
0004779537.tif 000004
【図４】
0004779537.tif 000005
【図５】
0004779537.tif 000006
【図６】
0004779537.tif 000007
【図７】
0004779537.tif 000008